(57)【要約】【課題】カメラ外装に衝撃等の外力が加わっても、内部に収容されたレンズユニット等の内部構成部材に伝達される力を緩衝し、レンズユニット等に歪を生じさせない。【解決手段】前カバー１０と後カバー２０からなるカメラ外装内にレンズユニット３０が収納され、レンズユニット３０の前面に設けられた複数の位置決め孔に、前カバー１０のレンズユニット開口１３の周囲に設けられた複数の位置決めボス１４，１５が挿入され、摺動可能に位置決めされている。レンズユニット３０の後方にはモニタ４０が配置され、モニタ４０と後カバー２０に取り付けられたモニタパネル２４間にはクッション材５０が介在された状態で、後カバー２０を前カバー１０に固定する。クッション材５０は、レンズユニット３０を前カバー１０に押圧するとともに、モニタ４０とモニタパネル２４間のシール部材としても機能する。【選択図】図１
2006030419.tif 000002
【特許請求の範囲】
【請求項１】
前カバーと後カバーからなる外装内に内部構成部材が収納され、該内部構成部材は前記前カバーに対し摺動可能な状態で位置決め配置されていることを特徴とするカメラ。
【請求項２】
請求項１に記載のカメラにおいて、前記内部構成部材はレンズユニットであり、該レンズユニットを包囲して配置される構成部材は前記レンズユニットとの間に間隙を介して配置されていることを特徴とするカメラ。
【請求項３】
請求項１または２に記載のカメラにおいて、前記内部構成部材は前記前カバーに対し弾性体によって押圧されていることを特徴とするカメラ。
【請求項４】
請求項３に記載のカメラにおいて、前記後カバーにはモニタパネルが取り付けられ、前記レンズユニットの後方にモニタが配置され、前記弾性体は前記モニタパネルと前記モニタ間であって前記モニタの表示範囲の外側に介在されていることを特徴とするカメラ。
【請求項５】
請求項３に記載のカメラにおいて、前記レンズユニットの後方に前記弾性体を介してモニタが配置されていることを特徴とするカメラ。
【請求項６】
請求項３乃至５いずれかに記載のカメラにおいて、前記弾性体は発泡性のクッション材からなることを特徴とするカメラ。
【発明の詳細な説明】
【技術分野】
【０００１】
本発明は、デジタルカメラ、ビデオカメラ、ＰＤＡ情報端末等にも利用されるカメラに関し、さらに詳しくは、レンズユニット等の内部構成部材をカメラ外装内に摺動可能な状態で位置決め配置することによって、組立作業時及び使用時に、内部構成部材に歪みを生じさせることがないカメラに関する。
【背景技術】
【０００２】
従来のカメラにおいて、感光体フィルムを用いたカメラ、デジタルカメラを問わず、カメラ外装（ボディ）内に収容されるレンズユニット等の内部構成部品は、ネジ、フック等によってカメラ外装にしっかりと固定された構造である。このように内部構成部品がカメラ外装にしっかりと固定されていると、カメラの構造は内部構成部品によって補強することができ全体の剛性を高めることができるが、例えば操作者がカメラに衝撃のような外力を加えたような場合、カメラ外装に予期しない力が加わり、そのとき生じた歪が内部構成部品に伝達され、破損したり動作上の不具合が発生することがある。近年、カメラの小型化、精密化がさらに進み、その傾向が強まってきている。
【０００３】
カメラ内部の撮影レンズやＣＣＤ等の撮像部を一体的に組み込んだレンズユニットのようなカメラの内部構成部品と外装との取り付け構造に関して、特許文献１には、レンズユニットを保持する保持部を有する前カバーと、前カバーとともに前記レンズユニットを包囲するとともに前記レンズユニットが浮動するように前記レンズユニットに対して間隙をもって配置される他のカバーを有するようにして、レンズユニットの構成部品に歪を生じさせないようにした構造のカメラが開示されている。
【特許文献１】特許第２９９４８４６号明細書
【発明の開示】
【発明が解決しようとする課題】
【０００４】
前記したように、従来のカメラにおいては、撮影レンズやＣＣＤ等の撮像部を一体的に組み込んだレンズユニットを前カバーにしっかりと固定しておリ、前カバーを後カバーに取り付ける際に前カバーに予想外の外力が働くと、そのとき生じた歪がレンズユニットまで伝達され、光軸を狂わせたり、レンズユニットの構成部品相互間の距離を狂わせたりして、撮影性能に悪影響を与えることとなる。さらに、前カバーまたはレンズユニットの取付け面の平面度がでていない場合にも、レンズユニットに歪を発生させ、同様の悪影響を与える。そこで、請求項１の発明は、カメラの製造時あるいはカメラの使用時において、万が一カメラ外装に衝撃等予想外の外力が働いたとしても、カメラ外装内に収容されたレンズユニット等の内部構成部材に伝達される力を緩衝し、内部構成部材に歪を発生させることがないカメラを提供することを目的とする。
【０００５】
また、外装カバー内に収容された内部構成部材にはレンズユニットが含まれており、レンズユニットは撮影レンズやＣＣＤ等の撮像部を一体的に組み込んだ精密部品であることから、歪が生じたときの影響は大きく、撮影される画像の品質を悪化させる。そこで、請求項２の発明は、レンズユニットに歪が生ずることを防止し、撮影性能等の最重要性能を損なうことがなく、製造時の組み立て作業性を向上させるカメラを提供することを目的とする。
【０００６】
また、レンズユニットはカメラ外装内でネジやフック等によって固定されてなく、位置決めもされていないと、カメラ外装とレンズユニット間で大きなずれが発生し、撮影画像にケラレが発生したり、レンズユニットがガタツキを生じたりして、カメラの外観上の見栄えにも影響する。そこで、請求項３の発明は、通常の使用時は十分な剛性を有し、衝撃のような外力に対しては衝撃を吸収する弾性材を用いて、内部構成部材に歪が加わらないようにして内部構成部材に発生する障害を防止し、かつカメラとしての外観上の見栄えをよくし、商品の外観品位を向上させることを目的とする。
【０００７】
また、デジタルカメラ、ビデオカメラ、ＰＤＡ情報端末等は、レンズユニットによって撮影した画像を表示するモニタを有することが多く、この場合モニタは後カバーにモニタパネルを介して取り付けられる。ここで、モニタパネルの表示範囲内に塵埃等が侵入することはカメラの外観品位を低下させる。そこで、請求項４、５の発明は、モニタを後カバーに取り付けるための構成部材に、レンズユニットを前カバーに対し付勢するのに用いる弾性体を利用し、取り付けに要する部品数を減少させることを目的とする。
【課題を解決するための手段】
【０００８】
請求項１の発明は、前カバーと後カバーからなる外装内に内部構成部材が収納され、該内部構成部材は前記前カバーに対し摺動可能な状態で位置決め配置されているカメラであることを特徴とする。
【０００９】
請求項２の発明は、請求項１に記載のカメラにおいて、前記内部構成部材はレンズユニットであり、該レンズユニットを包囲して配置される構成部材は前記レンズユニットとの間に間隙を介して配置されていることを特徴とする。
【００１０】
請求項３の発明は、請求項１または２に記載のカメラにおいて、前記内部構成部材は前記前カバーに対し弾性体によって押圧されていることを特徴とする。
【００１１】
請求項４の発明は、請求項３に記載のカメラにおいて、前記後カバーにはモニタパネルが取り付けられ、前記レンズユニットの後方にモニタが配置され、前記弾性体は前記モニタパネルと前記モニタ間であって前記モニタの表示範囲の外側に介在されていることを特徴とする。
【００１２】
請求項５の発明は、請求項３に記載のカメラにおいて、前記レンズユニットの後方に前記弾性体を介してモニタが配置されていることを特徴とする。
【００１３】
請求項６の発明は、請求項３乃至５いずれかに記載のカメラにおいて、前記弾性体は発泡性のクッション材からなることを特徴とする。
【発明の効果】
【００１４】
請求項１の発明によれば、内部構成部材は前カバーまたは後カバーに対し摺動可能な状態で位置決め配置されているので、内部構成部材と前カバーまたは後カバーを固定するネジ等の固着具を不要とすることができ、さらにネジ等の固着具が不要となることによる組み立て工数が削減される。また、ネジを締める際に必要となる空間が不用となり、位置決め固定用の凹凸部を自由に配置できるので、設計の自由度が増し、カメラのさらなる小型化が可能となる。
【００１５】
請求項２の発明によれば、内部構成部材はレンズユニットであり、レンズユニットは前カバーまたは後カバーに固着されずに位置決めされているので、カメラ外装に予期しない外力が加わっても、レンズユニットに加わる力が緩衝され、レンズユニットに歪が生じ、レンズユニットを破損したりすることがない。また、位置決め部の平面度が出ていなくても、レンズユニットに歪を与えることがない。
【００１６】
請求項３の発明によれば、内部構成部材は前記前カバーに対し弾性体によって押圧されているので、位置決めされていない方向に対しても位置ズレが発生せず、レンズユニットの取り付けズレ等により発生する画質の悪化等の不具合を防止することが可能となる。
【００１７】
請求項４の発明によれば、後カバーにはモニタパネルが取り付けられ、レンズユニットの後方にモニタが接触して配置され、弾性体はモニタパネルとモニタ間であってモニタの表示範囲の外側に介在されているので、弾性体をレンズユニットを前カバーに押圧する部材とモニタパネルとモニタ間のシール部材として兼用することができ、部品数を減少し、組み立て性の向上、コストダウンが可能となる。また、近年カメラの厚みを薄くすることは、ユーザの要求として非常に強く、カメラの重要スペックになっているが、請求項５の発明は、弾性体が１つですむことにより、カメラ厚みを薄くすることが可能となる。
【００１８】
請求項５の発明によれば、レンズユニットの後方に弾性体を介してモニタが配置されているので、弾性体をレンズユニットとモニタ間の緩衝材として兼用することができ、部品数を減少し、組み立て性を向上し、コストダウンが可能となる。また、カメラ厚みを薄くすることが可能となる。
【００１９】
請求項６の発明によれば、弾性体は発泡性のクッション材からなるので、軽量で確実にモニタパネルとモニタ間に塵埃等が侵入することを防止することが可能となる。
【発明を実施するための最良の形態】
【００２０】
本発明は、カメラの製造時あるいはカメラの使用時において、カメラ外装に衝撃等の予想外の外力が働いたとしても、カメラ外装内に収容されたレンズユニット等の内部構成部材に伝達される力を緩衝し、内部構成部材に歪を発生させることがないカメラを提供することを目的とするもので、そのための構成は、前カバーと後カバーからなるカメラ外装内にレンズユニット等の内部構成部材が収納され、前記レンズユニットには前記前カバーに対し摺動可能な状態で位置決め配置されている。
【実施例１】
【００２１】
以下、本発明を図１、図２に示す実施例１のカメラに基づいて説明する。
図１は、本発明の実施例１のカメラを背面側から見た分解斜視図、図２は、レンズユニットを正面側から見た斜視図である。
図１に示す実施例１のカメラは、本発明をデジタルカメラに適用した例であるが、デジタルカメラに限らず、感光体フィルムを用いるカメラ、ＰＤＡ情報端末、ビデオレコーダ等、構成部品としてカメラ機能を備えた装置、機器であれば、他の多くの製品に適用することができる。
【００２２】
図１に示す実施例１のデジタルカメラは、前カバー１０と後カバー２０とからなるカメラ外装内部にレンズユニット３０を含む図示しない他の内部構成部材が収納されている。
前カバー１０は、レンズユニット３０の撮影レンズ３１が出没する開口１３が形成された構成で、上辺内側に後カバー２０に形成された複数のフック部２１，２１と係合する複数の係合凹部１１，１１が形成され、また側辺上部内側から突出したネジ受け１２が形成されている。
後カバー２０は、前カバー１０と比較すると浅底の形状で、液晶パネル等のモニタを露出させるモニタ開口２３が形成され、モニタ開口２３にはモニタパネル２４が取り付けられた構成で、上辺内側に複数のフック部２１，２１が形成され、側辺上部にはネジ用穴２２が形成されている。
【００２３】
前カバー１０と後カバー２０とは、前カバー１０と後カバー２０の下辺を係合させた状態で、後カバー２０のフック部２１，２１を前カバー１０の係合凹部１１，１１に係合させ、後カバー２０のネジ用穴２２にネジを挿入し、ネジ受け部１２に形成された雌ネジにネジ締めすることによって閉鎖されたカメラ外装が完成する。なお、図示されていない他のネジによっても締結されている。
【００２４】
カメラ外装内にレンズユニット３０を収納し固定するため、前カバー１０には、レンズユニット３０を摺動可能状態で位置決めするための複数の位置決めボス１４，１５がレンズユニット開口１３の周囲に形成されている。レンズユニット３０は、撮影レンズ３１、撮影レンズで撮影された被写体像を電気信号に変換するＣＣＤ、光学ファインダ、自動焦点調整用装置、撮像基板等から構成されており、レンズユニット３０の撮影レンズ３１の周囲位置に、レンズユニット３０を前カバー１０に対し摺動可能状態で位置決めするための複数の位置決め孔３２，３３が形成されている。
【００２５】
カメラ外装内においてレンズユニット３０の後方には、レンズユニット３０により撮影された画像を表示するための液晶表示パネル等からなるモニタ４０が設置される。モニタ４０の表示部４１である画面は、後カバー２０のモニタ開口２３に取り付けられたモニタパネル２４に対向し、モニタパネル２４とモニタ４０間には弾性材からなる発泡性のクッション材５０が介在されている。クッション材５０はモニタ４０の表示部４１全体を覆っている四角枠状であるので、後カバー２０のモニタ開口に取り付けられているモニタパネル２４とモニタ４０の間に塵埃等が侵入することを防止している。
【００２６】
図２に示すように、レンズユニット３０の前面には、撮影レンズ３１の周囲の複数位置に複数の位置決め孔３２，３３が形成されており、前カバー１０には、図１に示すように、レンズユニット開口１３の周囲に複数の位置決めボス１４，１５が形成されているから、この位置決めボス１４，１５に、レンズユニット３０の前面に形成された位置決め孔３２，３３を挿入することにより、レンズユニット３０が前カバー１０に摺動可能に位置決めされる。
【００２７】
実施例１のカメラにおいては、レンズユニット３０の後面に液晶パネル等からなるモニタ４０が配置されている。また、後カバー２０のモニタ開口にはモニタパネル２４が取り付けられており、モニタパネル２４とモニタ４０の表示部４１間には弾性体として発泡性のクッション材５０が介在されている。この発泡性のクッション材５０は、通常カメラを使用する上では、十分の剛性を有するものであるが、カメラを落下させる等通常使用する場合をはるかに超えた衝撃等の外力がカメラに加わった場合には、弾性体が外力を吸収するため、カメラの耐衝撃性が向上する。
【００２８】
また、モニタパネル２４とモニタ４０の表示部４１間に配置されるクッション材５０は、レンズユニット３０を前カバー１０に押圧する機能を有するものであるが、モニタパネル２４とモニタ４０間のシール部材としてモニタの表示範囲に塵埃等が侵入することを防止する機能を兼用し、部品の数を低減し、また組み立て性の向上を図ることが可能となる。
【００２９】
次に、実施例１のカメラにおいて、レンズユニットをカメラ外装に組み付ける作業について説明する。
まず、前カバー１０にレンズユニット３０を挿入し、前カバー１０の位置決めボス１４，１５にレンズユニット３０の位置決め孔３２，３３を挿入し、レンズユニット３０の後方にモニタ４０を配設する。なお、このとき、他の構成部材についても所定位置に所定の固定方法によって組付けておくが、特に、レンズユニットを包囲して配置される構成部材については、レンズユニット３０との間に間隙を介在させておく。その後、モニタ４０の表示部４１の外側に隙間なく発泡性のクッション材５０からなる弾性体を置いた状態で、モニタパネル２４が取り付けられた後カバー２０の下辺を前カバー１０の下辺に係合し、後カバー２０の上辺に形成されたフック部２１，２１を前カバー１０の上辺に形成された係合１１，１１に係合し、後カバー２０のネジ用穴２２より図示しないネジを挿入し、前カバー１０に形成されたネジ受け部１２の雌ネジにネジ締めを行って、レンズユニット３０等をカメラ外装内に収納する作業が終了する。
【００３０】
以上にようにして、種々の内部構成部品がカメラ外装内に収納されたときには、クッション材５０が所定量圧縮されて、モニタ４０が押圧されて、それに接触して配設されているレンズユニット３０が力を受ける。このときの力が、レンズユニット３０に歪みを加えない程度の力であれば、レンズユニット３０には歪が発生せず、撮影性能に影響を及ぼすことはない。
これにより、内部構成部品としてのレンズユニット３０の位置決めが行われて、位置ずれが発生することなく、レンズユニット３０が所定の位置を占めることが可能となる。
【実施例２】
【００３１】
次に、実施例２のカメラについて説明する。
図３は、本発明の実施例２のカメラを背面側から見た分解斜視図である。
実施例２のカメラは、図１、２に示す実施例１のカメラと比較すると、前カバー１０及び後カバー２０からなるカメラ外装、レンズユニット３０、モニタ４０等の構成において一致するが、レンズユニット３０を前カバー１０に押圧する構成が相違している。
【００３２】
実施例２のカメラは、前カバー１０、後カバー２０からカメラ外装内にレンズユニット３０、モニタ４０、その他の構成部品が収納されている。前カバー１０に設けられた位置決めボス１４、１５には、レンズユニット３０の撮影レンズが突出して設けられている側の表面に設けられた位置決め孔が挿入され、レンズユニット３０は、前カバー１０に対し、摺動可能状態で位置決め配置されている。
【００３３】
レンズユニット３０の後方には、液晶パネル等からなるモニタが弾性材としてのクッション材６０を介して配置されている。このクッション材６０は、レンズユニット３０とモニタ４０間の緩衝材としての機能と、レンズユニット３０を前カバー１０に対し押圧する機能を有し、図３では２本の棒状のクッション材６０が例示されているが、棒状に限らず、点状、シート状、リング状等レンズユニット３０及びモニタの構造に基づいて、適宜形状のクッション材を適宜数用いることができる。
【００３４】
また、図３に示す例では、モニタ４０と後カバー２０に取り付けられたモニタパネル２４との間には、実施例１のカメラと同様に弾性材としての四角枠状のクッション材５０が介在しており、モニタパネル２４とモニタ４０間を密封するとともに、クッション材５０によってもレンズユニット３０を前カバー１０に押圧するようにしているが、実施例２のカメラにとっては必須のものではない。
【００３５】
本発明の実施例１及び２のカメラにおいては、レンズユニット３０が前カバー１０に対し摺動可能に位置決めされるもので、ネジ止め等によって固定されたものでないから、レンズユニット３０を前カバー１０に取り付ける作業時、あるいはカメラの使用時において、レンズユニット３０に過度の力が加わり歪みを生じさせることがなく、レンズユニットの撮影性能に影響を与えることがない。
【００３６】
また、実施例１及び２のカメラにおいては、レンズユニット３０を前カバー１０に対し摺動可能に位置決めする構成として、レンズユニット３０に位置決め孔３２，３３を形成し、前カバー１０の対応位置に位置決めボス１４，１５を形成する構成としたが、これと逆に、レンズユニット３０に位置決めボスを形成し、前カバー１０の対応位置に位置決め穴を形成するようにしてもよい。また、位置決め孔と位置決めボスの組み合わせに変えて、案内レールと案内ローラのような種々の案内機構を採用することもできる。
【図面の簡単な説明】
【００３７】
【図１】本発明の実施例１のカメラを背面側から見た分解斜視図である。
【図２】レンズユニットの正面側から見た斜視図である。
【図３】本発明の実施例２のカメラを背面側から見た分解斜視図である。
【符号の説明】
【００３８】
１０…前カバー、１１…係合凹部、１２…ネジ受け部、１３…レンズユニット開口、１４，１５…位置決めボス、２０…後カバー、２１…フック部、２２…ネジ用穴、２３…モニタ開口、２４…モニタパネル、３０…レンズユニット、３１…撮影レンズ、３２，３３…位置決め孔、４０…モニタ、４１…表示部、５０，６０…クッション材。
【図１】
2006030419.tif 000003
【図２】
2006030419.tif 000004
【図３】
2006030419.tif 000005